(57)【要約】【課題】短時間、加温する加温装置を提供すること。【解決手段】手または足に巻かれる本体と、上記本体に配置される熱源と、を有し、上記本体は、通気性がある加温装置を用いる。また、上記熱源は、ビーズ、または、ゲルである上記加温装置を用いる。上記熱源は、上記本体で覆われる加温装置を用いる。上記熱源は、上記本体の外面に配置される上記加温装置を用いる。上記熱源は、上記本体に脱着可能に配置される上記加温装置を用いる。【選択図】図１
2019048018.tif 000002
【特許請求の範囲】
【請求項１】
手または足に巻かれる本体と、
前記本体に配置される熱源と、を有し、
前記本体は、通気性がある加温装置。
【請求項２】
前記熱源は、ビーズ、または、ゲルである請求項１記載の加温装置。
【請求項３】
前記熱源は、前記本体で覆われる請求項１または２記載の加温装置。
【請求項４】
前記熱源は、前記本体の外面に配置される請求項１から３のいずれか１項に記載の加温装置。
【請求項５】
前記熱源は、前記本体に脱着可能に配置される請求項１から４のいずれか１項に記載の加温装置。
【請求項６】
前記熱源は、外部から視認できる請求項１から５のいずれか１項に記載の加温装置。
【請求項７】
前記熱源を加熱する電源部を有する請求項１から６のいずれか１項に記載の加温装置。
【請求項８】
前記電源部を制御する制御部を有する請求項７に記載の加温装置。
【請求項９】
前記熱源の温度、または、前記制御部への入力のための表示部を有する請求項８記載の加温装置。
【請求項１０】
前記熱源は、内部に液状の媒体を有し、前記加温装置の動きで、前記媒体が移動する請求項１〜９のいずれか１項に記載の加温装置。
【発明の詳細な説明】
【技術分野】
【０００１】  本発明は、加温装置に関するものである。
【背景技術】
【０００２】  従来から、特許文献１に記載があるように、加温装置はあった。この加温装置では、熱源をレンジで暖めて、足などを加温するものである。
【先行技術文献】
【特許文献】
【０００３】
【特許文献１】特開２００５−３４２２８０号公報
【発明の概要】
【発明が解決しようとする課題】
【０００４】  しかし、従来の加温装置では、長時間、加温するのが目的である。そのため、短時間、加温する用途には、利用できなかった。
よって、本願の課題は、短時間、加温する加温装置を提供することである。
【課題を解決するための手段】
【０００５】  上記課題を解決するために、手または足に巻かれる本体と、前記本体に配置される熱源と、を有し、前記本体は、通気性がある加温装置を用いる。
【発明の効果】
【０００６】  本発明の加温装置によれば、短時間、加温する加温装置を提供できる。
【図面の簡単な説明】
【０００７】
【図１】（ａ）実施の形態１の加温装置１００の斜視図、（ｂ）実施の形態１の加温装置１００の断面図
【図２】実施の形態１の加温装置１００を外部から見た拡大平面図
【図３】（ａ）〜（ｂ）実施の形態２の加温装置２００の斜視図、（ｃ）熱源ユニット１３ａの斜視図
【図４】実施の形態３の加温装置４００の斜視図
【図５】実施の形態４の加温装置５００の斜視図
【図６】（ａ）〜（ｄ）実施の形態５の加温装置６００の斜視図
【発明を実施するための形態】
【０００８】    （実施の形態１）
＜構造＞
実施の形態１の加温装置１００を図１（ａ）、図１（ｂ）で説明する。図１（ａ）は、加温装置１００の斜視図である。図１（ｂ）は、加温装置１００の断面図である。
【０００９】  加温装置１００は、開口１０と本体１１とを含む。
開口１０は、本体１１を貫通する穴であり、腕や足を通すための開口である。
本体１１は、繊維などで編まれている。表繊維１２ａと裏繊維１２ｂとからなる。その間に熱源１３が配置されている。本体１１は通気性があり、熱源１３が外部から見える。繊維としては、遠赤外線を発生する繊維、血行をよくする繊維などを使用すると、より短時間で手足を温めることができ好ましい。また、繊維はシルクの繊維でもよい。シルクなら汗などを吸収せず、外部へ放熱できる。急加温、冷却に対して、好ましい。
【００１０】  図１（ａ）の点線で示したように、本体１１の内側にライン状の突起１２があると好ましい。リンパ線に沿って配置され、活性化できる。ライン方向は、開口１０の穴の方向と平行である。つまり、手、足が伸びている方向である。
図２は、加温装置１００を表から見た拡大平面図である。表繊維１２ａの間から熱源１３が見える。
【００１１】  熱源１３は、金属のビーズやゲルなどであり、比熱が小さく、温まりやすく、冷めやすい。例えば、アルミニウム、アルミニウムの合金、または、軽石、炭酸系の粉末を固めたものなどが使用できる。
熱源１３は、表繊維１２ａ間から外気に触れ、冷めやすい。
【００１２】  ＜使用方法＞
加温装置１００は、電子レンジなどで温められる。その後、手や足などに装着される。
手や足などを温める。ただし、保温はせず、自然に熱が逃げ、温度が下がる。
【００１３】  人が、寝る前に、加温装置１００で手や足を温め、血行を良くする。つまり、手や足などを温め、血の流れをよくし、体の熱を手や足から逃がす。このことで、人の体温は下がり、自然と眠りへ進む。快適な睡眠ができる。
このため、加温装置１００は、長時間の保温をしないように、上記の構造となっている。
【００１４】  （実施の形態２）
実施の形態２の加温装置２００を図３（ａ）〜図３（ｃ）で説明する。記載しない事項は、実施の形態１と同様である。
図３（ａ）、図３（ｂ）は、実施の形態２の加温装置２００の斜視図である。実施の形態１の加温装置１００と異なり、熱源１３を有する熱源ユニット１３ａが、本体１１から取り外ずせる。図３（ａ）の状態から、本体１１を折り返せば、図３（ｂ）となる。
【００１５】  図３（ｃ）に熱源ユニット１３ａの斜視図を示す。熱源１３を内部に有する。
なお使用方法は、実施の形態１と同様である。ただし、電子レンジなどで熱源ユニット１３ａのみを温め、図３（ａ）から図３（ｂ）のように、熱源ユニット１３ａを本体１１へセットする。本体１１をあたためる必要はない。より衛生的である。
【００１６】  なお、本体１１、熱源ユニット１３ａは、実施の形態１と同様、繊維などの隙間を有する材料でできている。熱源１３が外気で冷却される。
（実施の形態３）
実施の形態３の加温装置４００を図４で説明する。記載しない事項は、実施の形態１、２と同様である。
【００１７】  図４は、加温装置４００の斜視図である。加温装置４００は、本体１１の外周に熱源ユニット１３ａを保持している。
電源ユニット１３ａは、複数の粒子状の熱源１３を、樹脂袋などで１つにまとめたものである。電子レンジなどで、熱源ユニット１３ａを加熱した時、熱源１３は熱くなるが、電源ユニット１３ａの端部をあまり厚くならず、扱いやすい。
【００１８】  熱源ユニット１３ａを電子レンジなどで温め、本体１１に付着させる。
熱源ユニット１３ａを袋状にしておき、熱源１３の数など調整できるのが好ましい。人ごと、季節ごろなどで熱源１３の数を変更できる。
【００１９】  （実施の形態４）
実施の形態４の加温装置５００を図５で説明する。記載しない事項は、実施の形態１〜３と同様である。
図５は、加温装置５００の斜視図である。加温装置５００は、加熱材４１と、電源部４０と、制御部４３と、表示部４２と、を有する。
【００２０】熱源４１は、ヒータなどである。電源部４０に温度が上がる。
電源部４０は、電池、コンセントと繋がる部分である。加熱材４１へ電力などを供給する。
制御部４３は、加熱材４１の制御をする。実施の形態１〜３と同様、短時間で温度を上げ、下げる制御をする。一定時間で加温が切れること、時間調整可能なこと、温度調整できることなどが制御できる。
【００２１】  表示部４７は、液晶などで、温度の表示、制御の入力などをする部分である。
（実施の形態５）
実施の形態５の加温装置６００ａ〜６００ｄを図６（ａ）〜図６（ｄ）で説明する。
記載しない事項は、実施の形態１〜４と同様である。
【００２２】  図６（ａ）〜図６（ｂ）、図６（ｄ）では、熱源４２ａ、４２ｂがある。この熱源は、液状の媒体４５を内部に有する。それらをつなぐ連結部４４により、その媒体は、両者を移動できる。媒体は、沸点が６０℃以上の液体、水などである。
熱源４２ａ、４２ｂ、連結部４４を電子レンジなどで温める。加温装置６００ａにセットする。熱源４２ａは、本体１１に、熱源４２ｂは、本体１１外とする。熱源４２ａ中の液状の媒体４５は、熱源４２ａから熱源４２ｂへ連結部４４を介して移動する。このことで、熱源４２ａの熱が外部へだされるので、加温しなくなる。
【００２３】  図６（ｂ）では、熱源４２ａ、４２ｂ、連結部４４を本体１１へ固定するものである。同様の動作となる。媒体４５が移動することで、均熱化し、より冷却されやすい。
どちらも、連結部４４の径や、調整部を設けることで媒体４５の移動量を調整できる。
【００２４】  図６（ｃ）は、熱源４２を１つにしたものである。媒体４５の量は、熱源４２の内部の空間は半分程度とする。加温装置６００ｃを動かすことで、媒体４５が移動し、均熱化、冷却される。
なお、熱源４２、４２ａ、４２ｂ、連結部４４は、密閉され、内部で媒体４５が移動できる。また、一部に蓋を設け、媒体４５の量を調整できるのが好ましい。
【００２５】  図６（ｄ）は、熱源４２ａ、４２ｂが、積層されている。熱源４２ａが加温装置６００ｄの内側に位置し、熱源４２ｂが外側に位置する。はじめ、熱源４２ａに媒体４５が多く位置し、その後、媒体４５は、熱源４２ｂへ連結部４４を介して流れ移動する。媒体４５が内から外へ流れ、開口１０内の手、足の温めを短時間で終わらせる。
なお、熱源４２ａ、４２ｂは、ペットボトルなどの容器を利用できる。熱源４２ａ、４２ｂは、加温装置へ出し入れできるようにすることが好ましい。
【００２６】（全体として）
上記実施の形態を組み合わせること、また、一部を入れ替えることができる。
株式会社記録素材総合研究所のサーマルカラーを本体１１または熱源１３または熱源ユニット１３ａに配置すれば、色で温度を認識できる。取り扱い上便利である。
【産業上の利用可能性】
【００２７】  本発明の加温措置は、家庭、宿泊施設などで使用される。
【符号の説明】
【００２８】１０  開口
１１  本体
１２  突起
１２ａ  表繊維
１２ｂ  裏繊維
１３  熱源（ビーズ）
１３ａ  熱源ユニット
４０  電源
４１  熱源
４２、４２ａ、４２ｂ  熱源
４３  制御部
４４  連結部
４５  媒体
４７  表示部
１００、２００、３００，４００、５００、６００ａ、６００ｂ、６００ｃ、６００ｄ  加温装置
【図１】
2019048018.tif 000003
【図２】
2019048018.tif 000004
【図３】
2019048018.tif 000005
【図４】
2019048018.tif 000006
【図５】
2019048018.tif 000007
【図６】
2019048018.tif 000008